(57)【要約】【課題】本発明は、前記のような問題に鑑みなされたもので、未視聴コンテンツの適切な管理が可能になる再生装置を提供することを目的とする。【解決手段】記憶部に記憶されたコンテンツが再生済みであるか否かが判定手段（２６１）によって判定され、再生されていないと判定されたコンテンツの再生スケジュールをスケジューリング手段（２６１）が作成し、再生されていないと判定されたコンテンツを、読み出し手段が再生スケジュールに従って記憶部から読み出し、選局手段（１１６、１１７）によって第１のチャンネルが選択されると、読み出し手段が読み出しているコンテンツを再生手段（１１４、１１５）が再生するため、未視聴のコンテンツを適切に管理できる。【選択図】      図２
2009088979.tif 000002
【特許請求の範囲】
【請求項１】
記憶部に記憶されたコンテンツが、再生済みか否かを判定する判定手段と、
前記判定手段によって、再生されていないと判定されたコンテンツの再生スケジュールを作成するスケジューリング手段と、
前記再生スケジュールに従って、前記記憶部から、前記再生されていないと判定されたコンテンツを読み出す読み出し手段と、
チャンネル選択のための選局手段と、
前記選局手段によって第１のチャンネルが選択されると、前記読み出し手段が読み出しているコンテンツを再生する再生手段と、
を備えた再生装置。
【請求項２】
放送コンテンツを受信する放送受信手段を更に備え、
前記再生手段は、前記選局手段が第２のチャンネルを選択すると、前記放送受信手段が受信する放送コンテンツを再生する、請求項１に記載の再生装置。
【請求項３】
前記再生手段によって再生されたコンテンツに、削除許可属性を付与する、属性付与手段、を更に備えた請求項１に記載の再生装置。
【請求項４】
前記スケジューリング手段は、前記再生されていないと判定されたコンテンツが、前記記憶部に記憶された時間帯と同時間帯に再生されるよう再生スケジュールを作成する、請求項１に記載の再生装置。
【請求項５】
前記スケジューリング手段は、前記再生されていないと判定されたコンテンツが、前記記憶部に記憶された時間帯と同時間帯に、前記再生手段によって再生されるよう再生スケジュールを作成する、請求項１に記載の再生装置。
【請求項６】
前記読み出し手段は、前記再生されていないと判定されたコンテンツを前記記憶部から読み出す読み出し開始位置を前記再生スケジュールに合わせて計算する、請求項１に記載の再生装置。
【請求項７】
前記記憶部に記憶されるコンテンツは、音声データ及び画像データを含み、
前記再生手段は、前記音声データを出力するための音声出力部、及び前記画像データを表示するための表示手段を含む、請求項１に記載の再生装置。
【請求項８】
記憶部に記憶されたコンテンツが、再生済みか否かを判定する判定ステップと、
再生されていないと判定されたコンテンツの再生スケジュールを作成するスケジューリングステップと、
前記再生スケジュールに従って、前記記憶部から、前記再生されていないと判定されたコンテンツを読み出す読み出しステップと、
チャンネル選択に応じて、前記読み出しされているコンテンツを再生する再生ステップと、備えた再生方法。
【発明の詳細な説明】
【技術分野】
【０００１】
本発明は、再生装置及び再生方法に関する。
【背景技術】
【０００２】
特許文献１には、ユーザに応じたパーソナルチャンネルを設定して、ユーザに応じたコンテンツ情報を、あたかも従来のＴＶ又はラジオチャンネルであるかのように、連続的に再生するバーチャルパーソナルＴＶチャンネル技術が記載されている。
【０００３】
特許文献１に記載の技術では、記憶装置に記憶された番組をバーチャルパーソナルチャンネルのリソースとすることも可能である。
【特許文献１】特表２００４−５３３７４５号公報（段落０００５、図１）
【発明の開示】
【発明が解決しようとする課題】
【０００４】
ハードディスク装置（ＨＤＤ）等の記憶装置を備えた放送受信装置では、記憶装置に多数の放送コンテンツが記憶されていくと、当該記憶装置の記憶容量が不足してしまいかねない。このため、記憶装置に記憶されるコンテンツは適切に管理されなければならない。
【０００５】
上述のバーチャルパーソナルＴＶチャンネルでは、記憶されたコンテンツを、ユーザに応じて自動的に再生することは可能であるが、記憶装置の記憶容量の管理を行うことはできない。
【０００６】
本発明は、前記のような問題に鑑みなされたもので、未視聴コンテンツの適切な管理が可能になる再生装置を提供することを目的とする。
【課題を解決するための手段】
【０００７】
本発明に係る再生装置は、コンテンツを記憶する記憶部と、前記記憶部に記憶されたコンテンツが、再生済みか否かを判定する判定手段と、前記判定手段によって、再生されていないと判定されたコンテンツの再生スケジュールを作成するスケジューリング手段と、前記再生スケジュールに従って、前記記憶部から、前記再生されていないと判定されたコンテンツを読み出す読み出し手段と、チャンネル選択のための選局手段と、前記選局手段によって第１のチャンネルが選択されると、前記読み出し手段が読み出しているコンテンツを再生する再生手段とを備える。
【発明の効果】
【０００８】
本発明の再生装置によると、記憶部に記憶されたコンテンツが再生済みであるか否かが判定手段によって判定され、再生されていないと判定されたコンテンツの再生スケジュールをスケジューリング手段が作成し、再生されていないと判定されたコンテンツを、読み出し手段が再生スケジュールに従って記憶部から読み出し、選局手段によって第１のチャンネルが選択されると、読み出し手段が読み出しているコンテンツを再生手段が再生するため、未視聴のコンテンツを適切に管理できる。
【発明を実施するための最良の形態】
【０００９】
以下、図面を参照しながら本発明の実施形態について説明する。
【００１０】
第１の実施形態
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
操作部１１６には、選局を行うためのチャンネルアップダウンキーが備えられている。また、リモートコントローラ１１７にも、選局を行うためのダイレクト選局キー及びチャンネルアップダウンキーが備えられている。
【００１３】
このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１６】
第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２２】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２５】
図２は、上記したデジタルテレビジョン放送受信装置１１１の主要な信号処理系を示している。
【００２６】
ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２７】
チューナ２４５ａは、制御部２６１からの制御信号により所望のチャンネルの放送信号を選局し、この選局された放送信号をＰＳＫ（Phase Shift Keying）復調器２４５ｂに出力する。
【００２８】
ＰＳＫ復調器２４５ｂは、制御部２６１からの制御信号により、チューナ２４５ａで選局された放送信号を復調し、所望の番組を含んだトランスポートストリーム（ＴＳ）を得て、ＴＳ復号器２４５ｃに出力する。
【００２９】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７へ出力する。
【００３０】
また、ＴＳ復号器２４５ｃは、デジタル放送により送られているセクション情報を信号処理部２４７へ出力する。
【００３１】
また、地上波放送受信用のアンテナ２４８で受信した地上デジタルテレビジョン放送信号は、入力端子２４９を介して地上デジタル放送用のチューナ２５０ａに供給される。
【００３２】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３３】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３４】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７へ出力する。
【００３５】
また、ＴＳ復号器２５０ｃは、デジタル放送により送られているセクション情報を信号処理部２４７へ出力する。
【００３６】
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３７】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３８】
制御部２６１は、これら入力された情報から電子番組ガイド（ＥＰＧ）、字幕を表示するため画像生成処理を行い、この生成した画像情報をグラフィック処理部２５４へ出力する。
【００３９】
また、信号処理部２４７は、ＴＳ復号器２４５ｃ（２５０ｃ）から入力されたセクション情報の中から、番組を取得するための各種データやＥＰＧ情報，番組属性情報（番組ジャンル等），字幕情報等（サービス情報、ＳＩやＰＳＩ）を制御部２６１へ出力する。
【００４０】
グラフィック処理部２５４は、（１）信号処理部２４７から供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００４１】
また、字幕放送による字幕を表示するとき、グラフィック処理部２５４は、制御部２６１からの制御による字幕情報に基づき、映像信号上に字幕情報を重畳する処理を行う。
【００４２】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４３】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４４】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、操作部１１６からの操作情報を受け、または、リモートコントローラ１１７から送出された操作情報を、前記受光部１１８を介して受信し、その操作内容が反映されるように各部をそれぞれ制御している。
【００４５】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４６】
また、この制御部２６１は、カードＩ／Ｆ（Interface）２６５を介して、第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４７】
さらに、制御部２６１は、カードＩ／Ｆ２６７を介して、第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４８】
また、制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４９】
さらに、制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００５０】
また、制御部２６１は、ＵＳＢ  Ｉ／Ｆ２７１を介してＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５１】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５２】
本実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００５３】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
【００５４】
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５５】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５６】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５７】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５８】
次に、本実施形態による、「お好みチャンネル」再生処理について説明する。
【００５９】
ユーザが、操作部１１６あるいはリモートコントローラ１１７の操作によって、受信した放送番組（放送コンテンツ）の記憶を指示すると、制御部２６１は当該放送番組のデータをＨＤＤ１２５に記憶する。
【００６０】
ここで、ＨＤＤ１２５に多数の放送番組が記憶されていくと、ＨＤＤ１２５の記憶容量が不足してしまいかねない。このため、ＨＤＤ１２５に記憶されるコンテンツは適切に管理されなければならない。通常、ＨＤＤ１２５に記憶されるコンテンツのヘッダ情報には当該コンテンツの削除を許可する、または削除を禁止する属性が付与される。制御部２６１は、この削除許可あるいは削除禁止の属性を参照して、ＨＤＤ１２５に記憶される放送番組データを管理している。削除が許可されているコンテンツは、制御部２６１が必要に応じてＨＤＤ１２５から削除することができる。
【００６１】
本実施形態では、ユーザが「お好みチャンネル」を選択するだけで、自動的に未視聴のコンテンツが再生される。また、ユーザが、未視聴のコンテンツを「お好みチャンネル」の選択によって視聴したら、当該コンテンツには自動的に削除許可の属性を付与する。このため、ユーザがすでに視聴したコンテンツは、制御部２６１が必要に応じて当該コンテンツのデータをＨＤＤ１２５から削除できるようになり、ＨＤＤ１２５の記憶容量の不足を防止できる。
【００６２】
次に、本実施形態における「お好みチャンネル」について説明する。
【００６３】
ユーザは通常、操作部１１６に備えられたチャンネルアップダウンキー、あるいはリモートコントローラ１１７に備えられたチャンネルアップダウンキーやダイレクト選局キーを操作して、放送チャンネルの選局を行う。本実施形態では、これらのキーの操作により、放送チャンネルに加えて「お好みチャンネル」の選択が可能である。ユーザがお好みチャンネルを選択すると、アンテナ２４３及び２５８によって受信される放送コンテンツではなく、ＨＤＤ１２５に記憶された未視聴のコンテンツが、あたかも現在放送中のコンテンツであるかのように再生される。
【００６４】
図３は、第１の実施形態に係るお好みチャンネル再生処理のフローチャートである。
【００６５】
デジタルテレビジョン放送受信装置１１１の電源がＯＮになると、お好みチャンネル再生処理が開始される。お好みチャンネル再生処理が開始すると、デジタルテレビジョン放送受信装置１１１の制御部２６１は、ＨＤＤ２５１に未視聴の録画コンテンツが残っているか否かを判断する（ブロックＳ１）。
【００６６】
ＨＤＤ２５１に未視聴の録画コンテンツが記憶されていない場合は（ブロックＳ１でＮＯ）、お好みチャンネル再生処理は終了し、通常の放送コンテンツの受信が行われる。
【００６７】
一方、ＨＤＤ２５１に未視聴の録画コンテンツが残っていると判断された場合は（ブロックＳ１でＹＥＳ）、お好みチャンネル再生設定がＯＮになっているか否かを判断する（ブロックＳ２）。ユーザは予め、操作部１１６あるいはリモートコントローラ１１７を操作して、お好みチャンネル再生を行うか否かを設定しておくことができる。
【００６８】
お好みチャンネル再生設定がＯＮになっていない場合は（ブロックＳ２でＮＯ）、お好みチャンネル再生処理は終了し、通常の放送コンテンツの受信が行われる。
【００６９】
一方、お好みチャンネル再生設定がＯＮになっている場合（ブロックＳ２でＹＥＳ）、お好みチャンネルで再生されるコンテンツのスケジューリングを行い、お好みチャンネル再生スケジュールを作成する（ブロックＳ３）。
【００７０】
スケジューリングは、例えば、以下のような方法で行われる。
【００７１】
未視聴のコンテンツは、録画された時間帯（放送された時間帯）と同時間帯に再生されるように、スケジューリングされる。例えば、１９時から放送されたニュース番組が録画され、視聴されないままである場合は、当該ニュース番組は、お好みチャンネルでの再生が１９時から開始されるようにスケジューリングされる。同時間帯に録画された複数のコンテンツが未視聴のままである場合は、録画日時が古い方から先に再生が開始されるようにスケジューリングされる。あるいは、「ニュース」、「ドラマ」、「スポーツ」等の放送コンテンツのジャンルに、ユーザが予め優先順位を付けている場合には、この優先順位に従って、同時間帯に録画された複数のコンテンツの再生順序が決定されてもよい。また、ユーザの放送コンテンツの視聴履歴が保存されているような場合は、ユーザの視聴回数が多いジャンルのコンテンツから先に再生を開始するようにしてもよい。
【００７２】
図４は、ブロックＳ３の処理の結果得られたお好みチャンネル再生スケジュールの一例である。
【００７３】
対応する未視聴コンテンツが存在しない時間帯には、その時間帯に放送されている放送コンテンツが挿入されるよう、予め設定しておくことも可能である。図４の例では、デジタルテレビジョン放送受信装置１１１の電源がＯＮになってから、１８：３０になるまでは、対応する未視聴コンテンツが存在しない空き時間である。この空き時間には、通常の放送コンテンツが挿入されている。
【００７４】
お好みチャンネル再生スケジュールは、すべての未視聴コンテンツが含まれるように作成されてもよいが、所定時間分（例えば６時間分）のスケジュールが作成されるだけでもよい。作成されたお好みチャンネル再生スケジュールは、ＲＯＭ２６１ａに記憶される。
【００７５】
スケジューリング後、制御部２６１は、お好みチャンネル再生が可能であるか否かを判断する（ブロックＳ４）。ブロックＳ３におけるスケジューリング処理の結果、スケジュールが埋まらなかった場合は、お好みチャンネル再生が可能ではないと判断される。例えば、未視聴のコンテンツが存在せず、また、空き時間に通常の放送コンテンツを挿入しないようユーザが予め設定しているような場合は、お好みチャンネル再生スケジュールは埋まらない。従って、お好みチャンネル再生が可能ではないと判断される（ブロックＳ４でＮＯ）。
【００７６】
お好みチャンネル再生が可能ではないと判断された場合は（ブロックＳ４でＮＯ）、お好みチャンネル再生処理は終了し、通常の放送コンテンツの受信が行われる。
【００７７】
一方、お好みチャンネル再生が可能であると判断された場合は（ブロックＳ４でＹＥＳ）、作成されたお好みチャンネル再生スケジュールに従って、ＨＤＤ１２５からのコンテンツデータの読み出しを開始する（ブロックＳ５）。以後、制御部２６１は、お好みチャンネル再生スケジュールに従って、ＨＤＤ１２５からのコンテンツ読み出しを続ける。ここで、ＨＤＤ１２５に記憶されたコンテンツではなく、放送中の放送コンテンツの受信がスケジューリングされている場合は、当該放送コンテンツの受信をスケジュールに従って行ってもよいが、お好みチャンネルが選択されたら受信を開始するようにしてもよい。
【００７８】
ユーザが、操作部１１６に備えられたチャンネルアップダウンキー、あるいはリモートコントローラ１１７に備えられたチャンネルアップダウンキーやダイレクト選局キーを操作して、お好みチャンネルを選局すると（ブロックＳ６でＹＥＳ）、ＨＤＤ１２５から読み出しているコンテンツデータの再生（デコード）が開始される（ブロックＳ７）。すなわち、映像処理部２５８及び音声処理部２５５は、制御部２６１の制御に従って、ＨＤＤ１２５から読み出されているコンテンツデータに対して所定のデコード処理を行って、映像表示器１１４及びスピーカ１１５に出力する。
【００７９】
従って、ユーザは通常の選局と同様の操作でお好みチャンネルを選択するだけで、未視聴の録画コンテンツを再生して視聴することができる。ここで、お好みチャンネル再生スケジュールに従って、ＨＤＤ１２５からのデータ読み出しではなく、放送コンテンツの受信が行われている場合は、映像処理部２５８及び音声処理部２５５は、制御部２６１の制御に従って、当該受信されている放送コンテンツに対して所定のデコード処理を行って、映像表示器１１４及びスピーカ１１５に出力する。
【００８０】
続いて、制御部２６１は再生中のコンテンツを視聴済みと見なしてよいか否かを判断する（ブロックＳ８）。当該再生中のコンテンツの所定の割合（例えば再生中のコンテンツの２０％）以上をユーザが視聴済みであれば、制御部２６１は、このコンテンツは視聴済みであると判断する。再生中のコンテンツが視聴済みであると判断された場合（ブロックＳ８でＹＥＳ）、制御部２６１は、このコンテンツのヘッダに削除許可属性を書き込む（ブロックＳ９）。
【００８１】
続いて、制御部２６１は、お好みチャンネル再生スケジュールにスケジューリングされたコンテンツの再生が終了したか否かを判断する（ブロックＳ１２）。お好みチャンネル再生スケジュールに含まれるコンテンツの再生が終了していない場合は（ブロックＳ１２でＮＯ）、ブロックＳ６でチャンネルの変更が行われるまで、お好みチャンネル再生スケジュールに従った、録画コンテンツの再生を行う。
【００８２】
一方、ユーザが、お好みチャンネル以外のチャンネルを選局すると（ブロックＳ６でＮＯ）、制御部２６１は、ＨＤＤ１２５から読み出しているコンテンツデータの再生を停止する（ブロックＳ１０）。お好みチャンネル再生スケジュールに従って、ＨＤＤ１２５からのデータ読み出しではなく、放送中のコンテンツの再生が行われている場合は、当該放送コンテンツの再生が停止される。
【００８３】
その後、ユーザによる選局に応じた放送コンテンツが受信され、再生される（ブロックＳ１１）。すなわち、映像処理部２５８及び音声処理部２５５は、制御部２６１の制御に従って、当該受信されている放送コンテンツに対して所定のデコード処理を行って、映像表示器１１４及びスピーカ１１５に出力する。
【００８４】
続いて、制御部２６１は、お好みチャンネル再生スケジュールにスケジューリングされたコンテンツの再生が終了したか否かを判断する（ブロックＳ１２）。お好みチャンネル再生スケジュールに含まれるコンテンツの再生が終了していない場合は（ブロックＳ１２でＮＯ）、ブロックＳ６でチャンネルの変更が行われるまで、ユーザの選局に応じた放送の受信及び再生が行われる。
【００８５】
ＨＤＤ１２５からの録画コンテンツの読み出しは、お好みチャンネル再生スケジュールに従って行われている。このため、お好みチャンネル以外のチャンネルからお好みチャンネルに復帰したような場合は（ブロックＳ６でＹＥＳ）、他のチャンネルを視聴していた時間の分進行した位置から、お好みチャンネルのコンテンツ再生が開始される（ブロックＳ７）。すなわち、お好みチャンネルでは、録画コンテンツがあたかも通常放送中のコンテンツであるかのように再生される。
【００８６】
以上のようにして、お好みチャンネル再生スケジュールに含まれるコンテンツの再生が終了すると（ブロックＳ１２でＹＥＳ）、お好みチャンネル再生処理は終了する。
【００８７】
本実施の形態では、デジタルテレビジョン放送受信装置１１１の電源がＯＮになると、未視聴の録画コンテンツのスケジューリングが行われる。ユーザがお好みチャンネルを選択すると、お好みチャンネル再生スケジュールに従って、未視聴の録画コンテンツが再生される。ユーザは、通常の選局と同様の操作でお好みチャンネルを選択するだけで、未視聴の録画コンテンツを再生して視聴することができる。すなわち、ユーザはザッピング操作を行う感覚で未視聴の録画コンテンツを視聴することができ、未視聴の録画コンテンツを視聴するための特別な指示が必要ない。
【００８８】
また、お好みチャンネルである程度の視聴がなされた録画コンテンツには、自動的に削除許可の属性を付与する。制御部２６１は、この削除許可の属性を参照して、必要に応じてコンテンツの削除を行う。従って、ＨＤＤ１２５の記憶容量が不足することを防止できる。
【００８９】
第２の実施形態
次に本発明の第２の実施形態を説明する。第２の実施形態で第１の実施形態と対応する部分は対応する参照数字を付して詳細な説明は省略する。第２の実施形態の構成は図２に示すブロック図で表される。
【００９０】
第１の実施形態では、お好みチャンネル再生処理の間、ＨＤＤ１２５からのコンテンツデータの読み出しは常に実行されていた。しかしながら、ＨＤＤ１２５へのアクセスが続くと、ＨＤＤ１２５が壊れやすくなってしまう。ＨＤＤ１２５からのコンテンツデータの読み出しは、必要に応じて行われるようにしてもよい。第２の実施形態では、お好みチャンネルが選択されると、シーク位置を計算して、録画コンテンツの再生を行う。
【００９１】
図５は、第２の実施形態に係るお好みチャンネル再生処理のフローチャートである。
【００９２】
デジタルテレビジョン放送受信装置１１１の電源がＯＮになると、お好みチャンネル再生処理が開始される。お好みチャンネル再生処理が開始すると、デジタルテレビジョン放送受信装置１１１の制御部２６１は、ＨＤＤ２５１に未視聴の録画コンテンツが残っているか否かを判断する（ブロックＴ１）。
【００９３】
ＨＤＤ２５１に未視聴の録画コンテンツが記憶されていない場合は（ブロックＴ１でＮＯ）、お好みチャンネル再生処理は終了し、通常の放送コンテンツの受信が行われる。
【００９４】
一方、ＨＤＤ２５１に未視聴の録画コンテンツが残っていると判断された場合は（ブロックＴ１でＹＥＳ）、お好みチャンネル再生設定がＯＮになっているか否かを判断する（ブロックＴ２）。
【００９５】
お好みチャンネル再生設定がＯＮになっていない場合は（ブロックＴ２でＮＯ）、お好みチャンネル再生処理は終了し、通常の放送コンテンツの受信が行われる。
【００９６】
一方、お好みチャンネル再生設定がＯＮになっている場合（ブロックＴ２でＹＥＳ）、お好みチャンネルで再生されるコンテンツのスケジューリングを行い、お好みチャンネル再生スケジュールを作成する（ブロックＴ３）。
【００９７】
スケジューリングは、第１の実施形態と同様な方法で行われ、例えば、図４に示すお好みチャンネル再生スケジュールが作成される。作成されたお好みチャンネル再生スケジュールは、ＲＯＭ２６１ａに記憶される。
【００９８】
スケジューリング後、制御部２６１は、お好みチャンネル再生が可能であるか否かを判断する（ブロックＴ４）。スケジューリング処理の結果、スケジュールが埋まらなかった場合は、お好みチャンネル再生が可能ではないと判断される。例えば、未視聴のコンテンツが存在せず、また、空き時間に通常の放送コンテンツを挿入しないようユーザが予め設定しているような場合は、お好みチャンネル再生スケジュールは埋まらない。従って、お好みチャンネル再生が可能ではないと判断される（ブロックＴ４でＮＯ）。
【００９９】
お好みチャンネル再生が可能ではないと判断された場合は（ブロックＴ４でＮＯ）、お好みチャンネル再生処理は終了し、通常の放送コンテンツの受信が行われる。
【０１００】
一方、お好みチャンネル再生が可能であると判断された場合は（ブロックＴ４でＹＥＳ）、制御部２６１は、内蔵するタイマを起動して、計時動作を開始する（ブロックＴ５）。
【０１０１】
ユーザが、操作部１１６に備えられたチャンネルアップダウンキー、あるいはリモートコントローラ１１７に備えられたチャンネルアップダウンキーやダイレクト選局キーを操作して、お好みチャンネルを選局すると（ブロックＴ６でＹＥＳ）、制御部２６１は、録画コンテンツの再生を開始するシーク位置の計算を行う（ブロックＴ７）。
【０１０２】
すなわち、上述のタイマが計時している時間と、お好みチャンネル再生スケジュールにスケジューリングされている録画コンテンツのビットレートに基づいて、録画コンテンツのどの位置から再生（デコード処理）を開始すると、お好みチャンネル再生スケジュールどおりの再生となるかを計算する。
【０１０３】
シーク位置が計算されると、ＨＤＤ１２５に記憶されているコンテンツのデータを、計算されたシーク位置から読み出し、当該読み出したデータの再生が開始される（ブロックＴ８）。すなわち、映像処理部２５８及び音声処理部２５５は、制御部２６１の制御に従って、計算されたシーク位置から読み出されているコンテンツデータに対して所定のデコード処理を行って、映像表示器１１４及びスピーカ１１５に出力する。
【０１０４】
続いて、制御部２６１は、再生中のコンテンツを視聴済みと見なしてよいか否かを判断する（ブロックＴ９）。当該再生中のコンテンツの所定の割合（例えば再生中のコンテンツの２０％）以上をユーザが視聴済みであれば、制御部２６１は、このコンテンツは視聴済みであると判断する。再生中のコンテンツが視聴済みであると判断された場合（ブロックＴ９でＹＥＳ）、制御部２６１は、このコンテンツのヘッダに削除許可属性を書き込む（ブロックＴ１０）。
【０１０５】
続いて、制御部２６１は、お好みチャンネル再生スケジュールにスケジューリングされたコンテンツの再生が終了したか否かを判断する（ブロックＴ１３）。お好みチャンネル再生スケジュールに含まれるコンテンツの再生が終了していない場合は（ブロックＴ１３でＮＯ）、ブロックＴ６でチャンネルの変更を行われるまで、お好みチャンネル再生スケジュールに従った、録画コンテンツの再生を行う。
【０１０６】
ユーザが、お好みチャンネル以外のチャンネルを選局すると（ブロックＴ６でＮＯ）、制御部２６１は、ＨＤＤ１２５から読み出しているコンテンツデータの再生を停止する（ブロックＴ１１）。お好みチャンネル再生スケジュールに従って、ＨＤＤ１２５からのデータ読み出しではなく、放送中のコンテンツの再生が行われている場合は、当該放送コンテンツの再生が停止される。
【０１０７】
その後、ユーザによる選局に応じた放送コンテンツが受信され、再生される（ブロックＴ１２）。すなわち、映像処理部２５８及び音声処理部２５５は、制御部２６１の制御に従って、当該受信されている放送コンテンツに対して所定のデコード処理を行って、映像表示器１１４及びスピーカ１１５に出力する。
【０１０８】
続いて、制御部２６１は、お好みチャンネル再生スケジュールにスケジューリングされたコンテンツの再生が終了したか否かを判断する（ブロックＴ１３）。お好みチャンネル再生スケジュールに含まれるコンテンツの再生が終了していない場合は（ブロックＴ１３でＮＯ）、ブロックＴ６でチャンネルの変更を行われるまで、ユーザの選局に応じた放送の受信及び再生が行われる。
【０１０９】
以上のようにして、お好みチャンネル再生スケジュールに含まれるコンテンツの再生が終了すると（ブロックＴ１３でＹＥＳ）、お好みチャンネル再生処理は終了する。
【０１１０】
本実施形態では、お好みチャンネルが選択されると、タイマの計時時間及び録画コンテンツのビットレートに基づいて、シーク位置が計算された。録画コンテンツのデータ読み出しは、この計算されたシーク位置から開始される。従って、ＨＤＤ１２５にアクセスし続ける必要がなく、ＨＤＤ１２５の劣化を防ぐことができる。
【０１１１】
ＨＤＤ１２５からの録画コンテンツの読み出しは、お好みチャンネル再生スケジュールに従って計算されたシーク位置から行われる。このため、お好みチャンネル以外のチャンネルからお好みチャンネルに復帰したような場合は、他のチャンネルを視聴していた時間分進行した位置から、お好みチャンネルのコンテンツ再生が開始される。すなわち、お好みチャンネルでは、録画コンテンツがあたかも通常放送中のコンテンツであるかのように再生される。
【０１１２】
本実施の形態では、デジタルテレビジョン放送受信装置１１１の電源がＯＮになると、未視聴の録画コンテンツのスケジューリングが行われる。ユーザがお好みチャンネルを選択すると、お好み再生スケジュールに従って、未視聴の録画コンテンツが再生される。ユーザは、通常の選局と同様の操作でお好みチャンネルを選択するだけで、未視聴の録画コンテンツを再生して視聴することができる。すなわち、ユーザはザッピング操作を行う感覚で未視聴のコンテンツを視聴することができ、未視聴のコンテンツを視聴するための特別な指示が必要ない。
【０１１３】
また、お好みチャンネルである程度の視聴がなされたコンテンツには、自動的に削除許可の属性を付与する。制御部２６１は、この削除許可の属性を参照して、必要に応じてコンテンツの削除を行う。従って、ＨＤＤ１２５の記憶容量が不足することを防止できる。
【０１１４】
上述の第１及び第２の実施形態では、ユーザがお好みチャンネルを選択すると、録画コンテンツの視聴が行われる。お好みチャンネル以外のチャンネルから、お好みチャンネルに復帰した場合には、お好みチャンネル以外のチャンネルを視聴していた時間分、録画コンテンツを進行させて、再生させた。このため、ユーザは、あたかも通常の放送番組のように録画コンテンツを視聴することが可能であった。しかしながら、お好みチャンネルから他のチャンネルに移行した場合に、お好みチャンネル再生スケジュールのどの位置で再生（デコード）処理を停止したかをＲＡＭ２６１ｂに記憶しておき、再びお好みチャンネルに復帰した場合に、ＲＡＭ２６１ｂから再生停止位置から再生を再開するようにしてもよい。すなわち、お好みチャンネルから他のチャンネルに切り替えられた場合にはレジューム位置をＲＡＭ２６１ｂ等に記憶しておき、再度お好みチャンネルに切り替えられた場合に、前記レジューム位置から再生を開始する。このようにして、ユーザは、録画コンテンツを欠くことなく、お好みチャンネルで視聴することが可能になる。
【０１１５】
上述の第１及び第２の実施形態では、ＨＤＤ１２５に放送コンテンツを記憶する場合について説明したが、記憶装置はＨＤＤ１２５に限られない。例えば、第２のＬＡＮ端子１２２を介して、ＨＤＤ内蔵ＤＶＤレコーダ１２９に放送コンテンツを記憶する場合にも、本発明は適用可能である。
【０１１６】
また、放送コンテンツの記憶に限らず、ネットワークを介して取得（ダウンロード）したコンテンツデータの視聴管理を行う場合にも、本発明は適用可能である。
【０１１７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１１８】
また、本発明は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【図面の簡単な説明】
【０１１９】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】本発明の第１の実施形態に係るお好みチャンネル再生処理のフローチャート。
【図４】お好みチャンネル再生スケジュールを示す図。
【図５】本発明の第２の実施形態に係るお好みチャンネル再生処理のフローチャート。
【符号の説明】
【０１２０】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2009088979.tif 000003
【図２】
2009088979.tif 000004
【図３】
2009088979.tif 000005
【図４】
2009088979.tif 000006
【図５】
2009088979.tif 000007